(57)【要約】      （修正有）【課題】ショッピングカートのハンドルの衛生面を維持し、ショッピングカート置場の混雑を緩和し、さらには、廃棄物を無くすことができるショッピングカート等の手押し車を提供する。【解決手段】手押し車は、一対の支柱４と、両支柱４の上端部間に取り付けられる手押し用ハンドル１と、を有する手押し車において、前記手押し用ハンドル１をその中央部のハンドル把持部１ａとその両端部の取付部１ｂとに分割形成し、その中央部のハンドル把持部１ａはその長手方向に伸縮弾性変形可能な弾性材料によって形成されると共に、その長手方向両端部に凸部又は凹部が形成され、手押し用ハンドル１の両端部の取付部１ｂの端部に前記ハンドル把持部１ａの凸部又は凹部に係脱可能な凹部又は凸部が形成されてなることを特徴としている。【選択図】図２
0003146270.tif 000002
【実用新案登録請求の範囲】
【請求項１】
一対の支柱と、
両支柱の上端部間に取り付けられる手押し用ハンドルと、を有する手押し車において、
前記手押し用ハンドルをその中央部のハンドル把持部とその両端部の取付部とに分割形成し、その中央部のハンドル把持部はその長手方向に伸縮弾性変形可能な弾性材料によって形成されると共に、その長手方向両端部に凸部又は凹部が形成され、手押し用ハンドルの両端部の取付部の端部に前記ハンドル把持部の凸部又は凹部に係脱可能な凹部又は凸部が形成されてなることを特徴とする手押し車。
【請求項２】
一対の支柱と、
両支柱の上端部間に取り付けられる手押し用ハンドルと、を有する手押し車において、
前記手押し用ハンドルをその中央部のハンドル把持部とその両端部の取付部とに分割形成し、その中央部のハンドル把持部には、その両端部の端面から出没可能な凸部が設けられると共に、該凸部を当該端面から突出方向に付勢する付勢手段が設けられ、且つ、該把持部には付勢手段に抗して前記凸部を把持部端面内に没入状態に係合するための係合手段が設けられ、前記ハンドルの取付部端面には前記凸部が係嵌する凹部が形成されてなることを特徴とする手押し車。
【請求項３】
一対の支柱と、
両支柱の上端部間に取り付けられる手押し用ハンドルと、を有する手押し車において、
前記手押し用ハンドルの中央部に径小段部を形成し、該径小段部に略半割り環状のハンドル把持部を手押し用ハンドルの外周面が面一になるよう係脱可能に弾発力によって取り付けてなることを特徴とする手押し車。
【請求項４】
前記ハンドル把持部に装飾を施してなる請求項１〜３の何れかに記載の手押し車。
【考案の詳細な説明】
【技術分野】
【０００１】
本考案は、スーパーマーケット等の販売店で使用されるショッピングカート等の手押し車のハンドル把持部を係脱可能に取り付けられるようになっている手押し車に関するものである。
【背景技術】
【０００２】
従来、ショッピングカートは、商品を荷物収容部に収容して保持すべく、スーパーマーケット等で頻繁に使用されている。使用者は、通常、買い物前に、複数のショッピングカートが重ね合わせて置かれているショッピングカート置場より、一つのショッピングカートを取り出し、かかるショッピングカートのハンドルを把持し、ショッピングカートを手で押しながら買い物を行う。買い物が終わると、使用者は、そのショッピングカートをもとのショッピングカート置場に戻し、次の使用者が、そのショッピングカートを使用し、買い物を行う。
【考案の開示】
【考案が解決しようとする課題】
【０００３】
このように、ショッピングカートは、不特定多数の人が、ショッピングカートのハンドルを把持し、買い物を行っている。そのため、従来のショッピングカートのハンドルは汚れやすく、衛生面が問題となっていた。
【０００４】
そこで、ショッピングカートのハンドルの汚れを除去すべく、ウェットティッシュ等を用いて汚れを除去することが考えられていた。しかし、使用者一人一人が、ショッピングカートのハンドルを拭いてから買い物を行うとなると、買い物を行う使用者で店舗内が非常に混み合う時間帯に、ショッピングカート置場が使用者で混雑してしまうという問題があると共に、使用者一人一人がショッピングカートのハンドルを拭くとなると、不特定多数の使用者が使用した使用済みの大量のウェットティッシュ等を廃棄しなければならず、廃棄物の処理という環境面での問題があった。
【０００５】
本考案は、上記の点に鑑み、ショッピングカートのハンドルの衛生面を維持し、ショッピングカート置場の混雑を緩和し、さらには、廃棄物を無くすことができるショッピングカート等の手押し車を提供することを目的としている。
【課題を解決するための手段】
【０００６】
上記目的を達成するための手段を図面の参照符号を付して示せば、請求項１の考案に係る手押し車によれば、一対の支柱４，４と、両支柱４，４の上端部間に取り付けられる手押し用ハンドル１と、を有する手押し車において、前記手押し用ハンドル１をその中央部のハンドル把持部１ａとその両端部の取付部１ｂ，１ｂとに分割形成し、その中央部のハンドル把持部１ａはその長手方向に伸縮弾性変形可能な弾性材料によって形成されると共に、その長手方向両端部に凸部１ｃ，１ｃ又は凹部が形成され、手押し用ハンドル１の両端部の取付部１ｂ，１ｂの端部に前記ハンドル把持部１ａの凸部１ｃ，１ｃ又は凹部に係脱可能な凹部１ｄ，１ｄ又は凸部が形成されてなることを特徴としている。
【０００７】
また、請求項２の考案に係る手押し車によれば、一対の支柱４，４と、両支柱４，４の上端部間に取り付けられる手押し用ハンドル２と、を有する手押し車において、前記手押し用ハンドル２をその中央部のハンドル把持部２ａとその両端部の取付部２ｂ，２ｂとに分割形成し、その中央部のハンドル把持部２ａには、その両端部の端面から出没可能な凸部２ｉ，２ｉが設けられると共に、該凸部２ｉ，２ｉを当該端面から突出方向に付勢する付勢手段が設けられ、且つ、該把持部２ａには付勢手段に抗して前記凸部２ｉ，２ｉを把持部２ａ端面内に没入状態に係合するための係合手段が設けられ、前記ハンドルの取付部２ｂ，２ｂ端面には前記凸部２ｉ，２ｉが係嵌する凹部２ｃ，２ｃが形成されてなることを特徴としている。
【０００８】
さらにまた、請求項３の考案に係る手押し車によれば、一対の支柱４，４と、両支柱４，４の上端部間に取り付けられる手押し用ハンドル３と、を有する手押し車において、前記手押し用ハンドル３の中央部に径小段部３ｃを形成し、該径小段部３ｃに略半割り環状のハンドル把持部３を手押し用ハンドル３の外周面が面一になるよう係脱可能に弾発力によって取り付けてなることを特徴としている。
【０００９】
さらにまた、請求項４の考案に係る手押し車によれば、請求項１〜３の何れかに記載の手押し車において、前記ハンドル把持部１ａ，２ａ，３ａに装飾を施してなるものとしている。
【考案の効果】
【００１０】
上記解決手段による考案の効果を、後述する実施形態の参照符号を付して説明すると、請求項１の考案によれば、手押し車用の手押し用ハンドル１をその中央部のハンドル把持部１ａとその両端部の取付部１ｂ，１ｂとに分割形成され、ハンドル把持部１ａを取付部１ｂ，１ｂ間に係脱可能であるから、ショッピングカート等の手押し車の使用時にあらかじめ洗浄消毒しておいたハンドル把持部１ａをショッピングカート等の手押し車に取り付けて使用し、使用後はハンドル把持部１ａをショッピングカート等の手押し車から取り外し、使用済みのハンドル把持部１ａを洗浄消毒すればよいため、ハンドルの衛生面を維持することができる。
【００１１】
また、ハンドル把持部１ａを取付部１ｂ，１ｂ間に係脱可能に取り付けるため、ハンドル把持部１ａを長手方向に伸縮弾性変形可能な弾性材料によって形成してなると共に、両端部に凸部１ｃ，１ｃを形成してなる。そのため、その凸部１ｃ，１ｃをハンドル把持部１ａの伸縮弾性変形により、取付部１ｂ，１ｂの端部に設けられた凹部１ｄ，１ｄに係脱可能に取り付けることができるから、構成が極めて簡単で安価に製作でき、且つ、簡単容易にハンドル把持部１ａをショッピングカート等の手押し車に係脱することができる。
【００１２】
さらには、使用済みの手押し車のハンドル把持部１ａのみを回収することができ、回収したハンドル把持部１ａを洗浄消毒し、洗浄消毒し終わったハンドル把持部１ａをショッピングカート等の手押し車の置場に置いておけば、使用者は清潔なハンドル把持部１ａを有するショッピングカート等の手押し車を常時使用することができる。そのため、使用者はウエットティシュ等を使用してショッピングカート等のハンドル把持部１ａを拭くことがない。しかして、ウエットティシュ等の廃棄物を無くすことができる。
【００１３】
請求項２の考案によれば、手押し車用の手押し用ハンドル２をその中央部のハンドル把持部２ａとその両端部の取付部２ｂ，２ｂとに分割形成し、ハンドル把持部２ａには、ハンドル把持部２ａの端面から出没可能で、且つ、前記取付部２ｂ，２ｂの端面に形成された凹部２ｃ，２ｃに係嵌する凸部２ｉ，２ｉを設け、その凸部２ｉ，２ｉを把持部２ａ端面内に没入状態に係合できるような係合手段を設けているから、ハンドル把持部２ａを取付部２ｂ，２ｂ間に係脱可能に取り付けることができる。そのため、係合手段を用いるだけで、ハンドル把持部２ａを手押し車に係脱することができるから、より簡単容易にハンドル把持部を手押し車に係脱することができる。また、請求項２の考案に係る手押し車も、請求項１の考案に係る手押し車と同様、ハンドル把持部を係脱可能に設けることができるから、請求項２の考案に係る手押し車は、請求項１の考案に係る手押し車と同様の作用効果を得ることができる。
【００１４】
請求項３の考案によれば、ハンドル把持部３ａを径小段部３ｃに係脱可能に弾発力によって取り付けることができるから、構成が極めて簡単で安価に製作でき、さらに簡単容易にハンドル把持部を係脱することができる。また、請求項３の考案に係る手押し車も、請求項１の考案に係る手押し車と同様、ハンドル把持部を係脱可能に設けることができるから、請求項３の考案に係る手押し車は、請求項１の考案に係る手押し車と同様の作用効果を得ることができる。
【００１５】
請求項４の考案によれば、前記ハンドル把持部１ａ，２ａ，３ａに装飾を施しているから、意匠性、視認性及び体裁の優れたハンドル把持部を使用者に提供することができる。
【考案を実施するための最良の形態】
【００１６】
以下に本考案の好適な実施形態を図面に基づいて説明すると、図１は本考案の第一実施形態に係るショッピングカートの斜視図、図２（ａ）〜（ｂ）は、本考案の第一実施形態に係るショッピングカートにハンドル把持部を取り付ける方法を説明した説明図である。図１に示すように、ショッピングカートＣは、下端に一組のキャスター５，５を有する一組の支柱４，４の上端に手押し用ハンドル１が取り付けられ、該一組の支柱４，４の下方に一組のキャスター６，６を有する下部フレーム７が固着された台車本体８と、前記一組の支柱４，４の上方に固着され、且つ、別体の後面部９が回動自在に取り付けられた荷持保持部１０とからなる。
【００１７】
下部フレーム７上には、商品等の荷物を直接入れて保持するか又は、商品等の荷物を入れたバスケット（図示せず）が保持される。
【００１８】
前記支柱４，４の上方には、荷物保持部１０が前方に向けて設けられている。荷物保持部１０は、該荷物保持部１０内に商品等の荷物を直接入れるか、バスケットに荷物を入れて該バスケットを収容保持したりできるもので、底面部１３と、一対の側面部１１，１１と、前面部１２と、前後方向に回動自在な後面部９とを備えてなる。なお、前記底面部１３、側面部１１，１１及び前面部１２は線材を用いて一体的に形成されている。
【００１９】
また、後面部９は、回動自在に取り付けられてなるから、後面部９を前方に押し上げて、荷物保持部１０内に後方側の別のショッピングカートの荷物保持部１０を挿入させることにより、複数のショッピングカートを重ね合わすことができるようになっている。
【００２０】
そして、本考案の特徴とする手押し用ハンドル１は、図２に示すように、その中央部にハンドル把持部１ａとその両端部に取付部１ｂ，１ｂとに分割形成して構成されてなる。ハンドル把持部１ａは長手方向に伸縮変形可能な合成樹脂等の弾性材料によって形成され、寸法を参考までに例示すれば、長手方向４６０ｍｍ，幅方向３０ｍｍで形成されてなる円柱形状である。さらに、図２（ａ）に示すように、ハンドル把持部１ａの長手方向両端部に凸部１ｃ，１ｃが形成されてなる。また、取付部１ｂ，１ｂの端部には夫々前記凸部１ｃ，１ｃが係脱可能な凹部１ｄ，１ｄが設けられてなる。
【００２１】
次に、ハンドル把持部１ａを取付部１ｂ，１ｂ間に取り付ける方法を説明すると、先ず、ハンドル把持部１ａの一端部に形成されてなる凸部１ｃをいずれか一方の取付部１ｂの凹部１ｄに嵌入する。そして、凸部１ｃを嵌入した凹部１ｄの方向に向かってハンドル把持部１ａを押圧すると、ハンドル把持部１ａは長手方向に収縮する。その収縮によって、ハンドル把持部１ａの他端部に形成されてなる凸部１ｃを他方の取付部１ｂの凹部１ｄに嵌入可能な空間ができるため、その空間ができれば、前記押圧力を除くことにより、ハンドル把持部１ａが弾性力により元の形状に戻るから、図２（ｂ）に示すように、ハンドル把持部１ａを取付部１ｂ，１ｂ間に取り付けることができる。なお、ハンドル把持部１ａを取付部１ｂ，１ｂ間から離脱するには上記説明した取り付け方法と逆の順序で行えばよい。
【００２２】
以上説明した本発明の第一実施形態によれば、ショッピングカートＣの支柱２，２の上端に手押し用ハンドル１を設け、手押し用ハンドル１は、その中央部にハンドル把持部１ａとその両端部に取付部１ｂ，１ｂとに分割形成され、ハンドル把持部１ａを取付部１ｂ，１ｂ間に係脱可能であるから、ショッピングカートの使用時にあらかじめ洗浄消毒しておいたハンドル把持部１ａをショッピングカートに取り付けて使用し、使用後はハンドル把持部１ａをショッピングカートから取り外し、使用済みのハンドル把持部１ａを洗浄消毒すればよいため、ハンドルの衛生面を維持することができる。
【００２３】
また、ハンドル把持部１ａを取付部１ｂ，１ｂ間に係脱可能に取り付けるため、ハンドル把持部１ａを長手方向に伸縮弾性変形可能な弾性材料によって形成してなると共に、両端部に凸部１ｃ，１ｃを形成してなる。そのため、その凸部１ｃ，１ｃをハンドル把持部１ａの伸縮弾性変形により、取付部１ｂ，１ｂの端部に設けられた凹部１ｄ，１ｄに係脱可能に取り付けることができるから、構成が極めて簡単で安価に製作でき、且つ、簡単容易にハンドル把持部１ａをショッピングカートに係脱することができる。
【００２４】
さらには、使用済みのショッピングカートのハンドル把持部１ａのみを回収することができ、回収したハンドル把持部１ａを洗浄消毒し、洗浄消毒し終わったハンドル把持部１ａをショッピングカート置場に置いておけば、使用者は清潔なハンドル把持部１ａを有するショッピングカートを常時使用することができる。そのため、使用者はウエットティシュ等を使用してショッピングカートのハンドルを拭くことがない。しかして、ショッピングカート置場の混雑を緩和し、ウエットティシュ等の廃棄物を無くすことができる。
【００２５】
なお、上述した第一実施形態では、ハンドル把持部の長手方向両端部に凸部を設け、取付部の端部に凹部を設けたが、ハンドル把持部の長手方向両端部に凹部を設け、取付部の端部に凸部を設けてもよい。
【００２６】
また、他の実施形態として、図３及び図４にハンドル把持部の第二実施形態を示すと、図３（ａ）はハンドル把持部の縦断面図、図３（ｂ）はハンドル把持部の平面図、図４（ａ）〜（ｂ）は本考案の第二実施形態に係るショッピングカートにハンドル把持部を取り付ける方法を縦断面図を用いて説明した説明図である。
【００２７】
ハンドル把持部２ａは、図３（ａ）に示すように、ハンドル把持部本体２ｄと可動部２ｇとで構成されている。ハンドル把持部本体２ｄは、中空円筒形状からなり、両端面に開口部２ｅ，２ｅが設けられると共に、底部所要箇所に図３（ｂ）に示すようにＬ字状の溝部２ｆが左右対称に設けられている。可動部２ｇは、断面コ字状からなる可動部本体２ｈとその可動部本体２ｈの一端部に設けられた凸部２ｉとで一体形成され、図３（ａ）に示すように、前記ハンドル把持部本体２ｄの両端面に設けられた開口部２ｅ，２ｅから、各凸部２ｉ，２ｉが夫々出没可能なようにハンドル把持部本体２ｄ内に、左右対称に設けられている。
【００２８】
そして、前記各凸部２ｉ，２ｉを夫々前記ハンドル把持部本体２ｄの両端面に設けられた開口部２ｅ，２ｅから突出方向に付勢するため、ハンドル把持部本体２ｄ内に左右対称に設けられている可動部本体２ｈ，２ｈ間にコイルスプリング２ｋが設けられている。さらに、そのコイルスプリング２ｋに抗して前記各凸部２ｉ，２ｉを夫々ハンドル把持部本体２ｄ内に没入状態に保持させる各係合部２ｊ，２ｊが、左右対称に設けられた溝部２ｆ，２ｆ内を夫々摺動可能なように各可動部本体２ｈ，２ｈにねじ止め固定されている。
【００２９】
次に、ハンドル把持部２ａを取付部２ｂ，２ｂ間に取り付け、手押し用ハンドル２を形成する方法を説明すると、先ず、ハンドル把持部２ａの各凸部２ｉ，２ｉをハンドル把持部本体２ｄ内に没入状態に保持させるため、コイルスプリング２ｋに抗して各係合部２ｊ，２ｊを、図３（ｂ）の実線で示す位置から仮想線で示す位置まで、夫々の溝部２ｆ，２ｆ内を摺動させ、仮想線の位置で各係合部２ｊ，２ｊを夫々の溝部２ｆ，２ｆ内に係合させる。これにより、ハンドル把持部２ａの各凸部２ｉ，２ｉをハンドル把持部本体２ｄ内に没入状態のまま保持でき、図４（ａ）に示すように、ハンドル把持部２ａを取付部２ｂ，２ｂ間に挿入できる。そして、その挿入後、取付部２ｂ，２ｂの端面に設けられた凹部２ｃ，２ｃに各凸部２ｉ，２ｉを夫々嵌入させるため、各係合部２ｊ，２ｊを図３（ｂ）の仮想線で示す位置から実線で示す位置まで夫々の溝部２ｆ，２ｆ内を摺動させ、各凸部２ｉ，２ｉを夫々前記ハンドル把持部本体２ｄの両端面に設けられた開口部２ｅ，２ｅから突出させれば、図４（ｂ）に示すように、ハンドル把持部２ａを取付部２ｂ，２ｂ間に取り付けることができ、手押し用ハンドル２を形成することができる。なお、ハンドル把持部２ａを取付部２ｂ，２ｂ間から離脱するには上記説明した取り付け方法と逆の順序で行えばよい。
【００３０】
以上のような構成とすることで、使用者は、各係合部２ｊ，２ｊを移動させるだけで、ハンドル把持部２ａを手押し車に係脱することができるから、上述した第一実施形態と同様の効果を得られると共に、簡単容易にハンドル把持部を係脱することができる。
【００３１】
なお、上述した第二実施形態では、付勢手段としてコイルスプリングを用いたが、他のばねを用いてもよい。
【００３２】
また、他の実施形態として、図５及び図６に手押し用ハンドルの第三実施形態を示すと、図５（ａ）〜（ｂ）は、本考案の第三実施形態に係るショッピングカートにハンドル把持部を取り付ける方法を説明した説明図、図６（ａ）は図５（ａ）のＸ−Ｘ線断面図、図６（ｂ）図５（ｂ）のＹ−Ｙ線断面図である。
【００３３】
ハンドル把持部３ａは、合成樹脂等の弾性体からなり、図６（ａ）に示すように、略半割環状からなる。そして、取付部３ｂ，３ｂ間には、前記ハンドル把持部３ａが取り付けられる円柱形状からなる径小段部３ｃが固着されてなる。
【００３４】
ハンドル把持部３ａを径小段部３ｃに取り付け、手押し用ハンドル３を形成するには、図５（ａ）に示す矢印方向にハンドル把持部３ａの水平面３ｅ，３ｅを径小段部３ｃに押圧する。これにより、ハンドル把持部３ａは弾性体により形成されてなるから、ハンドル把持部３ａの開口部３ｄが弾性変形により拡がり、図６（ｂ）に示すように、径小段部３ｃの外周の半周以上を抱持する状態となり、図５（ｂ）に示すように、ハンドル把持部３ａを径小段部３ｃに取り付け、手押し用ハンドル３を形成することができる。なお、ハンドル把持部３ａを径小段部３ｃから離脱するには上記説明した取り付け方法と逆の順序で行えばよい。
【００３５】
以上のような構成とすることで、弾性体からなるハンドル把持部３ａを径小段部３ｃより簡単容易に係脱可能に取り付けることができるから、上述した第一及び第二実施形態と同様の効果を得られると共に、構成が極めて簡単で安価に製作でき、さらに簡単容易にショッピングカートからハンドル把持部を係脱することができる。
【００３６】
また、図示はしないが、上述した第一〜第三実施形態のハンドル把持部１ａ，２ａ，３ａにキャラクター等の装飾を施すこともできる。装飾を施すことにより、意匠性、視認性及び体裁の優れた手押し用ハンドルを使用者に提供することができる。
【００３７】
また、上述した第一〜第三実施形態では、ハンドル把持部１ａ，２ａ，３ａをショッピングカートに使用したが、荷物用カートやベビーカー等にも使用することができる。
【図面の簡単な説明】
【００３８】
【図１】本考案の第一実施形態に係るショッピングカートの斜視図である。
【図２】（ａ）〜（ｂ）は、本考案の第一実施形態に係るショッピングカートにハンドル把持部を取り付ける方法を説明した説明図である。
【図３】（ａ）本考案の第二実施形態に係るハンドル把持部の縦断面図、（ｂ）同平面図である。
【図４】（ａ）〜（ｂ）は本考案の第二実施形態に係るショッピングカートにハンドル把持部を取り付ける方法を縦断面図を用いて説明した説明図である。
【図５】（ａ）〜（ｂ）は、本考案の第三実施形態に係るショッピングカートにハンドル把持部を取り付ける方法を説明した説明図である。
【図６】（ａ）図５（ａ）のＸ−Ｘ線断面図、（ｂ）図５（ｂ）のＹ−Ｙ線断面図である。
【符号の説明】
【００３９】
１，２，３                  手押し用ハンドル
１ａ，２ａ，３ａ            把持部
１ｂ                        取付部
１ｃ，２ｉ                  凸部
１ｄ，２ｂ                  凹部
３ｃ                        径小段部
４                          支柱
【図１】
0003146270.tif 000003
【図２】
0003146270.tif 000004
【図３】
0003146270.tif 000005
【図４】
0003146270.tif 000006
【図５】
0003146270.tif 000007
【図６】
0003146270.tif 000008